(57)【特許請求の範囲】
【請求項１】
受信局の受信周波数と該受信周波数に対応させて少なくともチャンネルタイトル情報を記憶可能なメモリとを有し、該メモリに記憶されたチャンネルタイトル情報を用いて所望の番組を選択し、該選択した番組を受信可能なデジタル放送受信機において、
所定時間毎に受信周波数帯域をサーチするサーチ手段と、
該サーチ手段により受信した受信局の周波数と、そのチャンネルタイトル情報が、前記メモリに記憶されている受信周波数と、そのチャンネルタイトル情報と一致するか否かを判断する判断手段と、
該判断手段により受信周波数が一致し、対応するチャンネルタイトル情報が異なる場合は、前のチャンネルタイトル情報を新たなチャンネルタイトル情報に更新し、前記メモリに一致する受信周波数が存在しない場合は、前記受信局の受信周波数とチャンネルタイトル情報とを対応させて前記メモリに追加する制御手段と、
を備えたことを特徴とするデジタル放送受信機。
【発明の詳細な説明】
【０００１】
【発明の属する技術分野】
本発明はデジタル放送受信機に係わり、特に多チャンネルデジタル放送を容易に選局可能なデジタル放送受信機に関する。
【０００２】
【従来の技術】
従来のラジオ受信機では、予めメモリに放送局名と該放送局の周波数等の情報を記憶しておき、ユーザーは記憶されている情報に基づいて選局するようになっている。
ところで、近年、放送のデジタル化技術の進歩により多種多様な番組の放送がデジタル放送により可能になった。このような技術の進歩により、従来の放送形態そのものが大きく変化することになり、これに伴いユーザーは、例えば放送内容を示すチャンネルタイトル情報を用いて音楽番組、スポーツ中継、ニュース等の様々なジャンルの放送の中から所望の番組を選局できるようになる。又、デジタル放送は多くの音質、圧縮レベルを有する高圧縮伝送規格を採用し、放送の音質内容によって最適な伝送規格を使用するマルチチャンネル伝送を行う傾向にある。
【０００３】
【発明が解決しようとする課題】
しかしながら、チャンネルタイトル情報は放送局側で変更が可能なため、放送内容に対応するチャンネルタイトル情報が変わってしまい、所望の番組を探すのが困難になることが考えられる。又、様々な内容や音質の放送が続々と提供されるのは、番組の多様化になりユーザーの選択肢も広がるが、多くの番組の中から新規に開始された番組等を調べるためには煩雑な操作が必要となる。
以上から本発明の目的は、チャンネルタイトル情報の変更があったとしても、あるいは、新規に開始された番組があったとしても、容易に選局出来るようにしたデジタル放送受信機を提供することである。
【０００４】
【課題を解決する為の手段】
上記課題は、本発明によれば、受信局の受信周波数と該受信周波数に対応させて少なくともチャンネルタイトル情報を記憶可能なメモリとを有し、該メモリに記憶されたチャンネルタイトル情報を用いて所望の番組を選択し、該選択した番組を受信可能なデジタル放送受信機において、所定時間毎に受信周波数帯域をサーチするサーチ手段と、該サーチ手段により受信した受信局の周波数と、そのチャンネルタイトル情報が、前記メモリに記憶されている受信周波数と、そのチャンネルタイトル情報と一致するか否かを判断する判断手段と、該判断手段により受信周波数が一致し、対応するチャンネルタイトル情報が異なる場合は、前のチャンネルタイトル情報を新たなチャンネルタイトル情報に更新し、前記メモリに一致する受信周波数が存在しない場合は、前記受信局の受信周波数とチャンネルタイトル情報とを対応させて前記メモリに追加する制御手段とを備えたことにより達成される。
【０００５】
【発明の実施の形態】
（Ａ）本発明の概略説明
図１は本発明のデジタル放送受信機に係るチャンネルタイトル情報更新制御の概略説明図である。まず、放送局では（ａ）に示すように、ＰＴｙコードとそれに対応する番組内容を、例えばＰＴｙが１であればスポーツ、２であればニュースと定めている。又、ＰＴｙよりも細分化された番組内容を表すチャンネルタイトルは放送局が自由に変更可能であり、例えばＰＴｙ１のスポーツでは、セリエＡ、プレミアリーグ等にすることができる。そして、放送局は、これらの情報を含む各種情報をデジタル放送に多重させて放送している。デジタル放送受信機ではデジタル放送の中に含まれるこれらの情報を受信し（ｂ）に示すようなリストにし記憶することが可能である。
【０００６】
本発明では、例えば、送信周波数７８．６ＭＨｚの放送局がＰＴｙコード：１、番組内容：スポーツのチャンネルタイトルをセリエＡからプレミアリーグに変更した場合、（ｃ）に示すようにデジタル放送受信機は、リストの受信周波数７８．６ＭＨｚに対応するチャンネルタイトルをセリエＡからプレミアリーグに更新する。又、（ｄ）のように送信周波数８８．３ＭＨｚ、ＰＴｙコード：４、番組内容：映画、チャンネルタイトル：洋画の放送が新規に開始された場合、（ｃ）のようにリストに受信周波数：８８．３ＭＨｚ、チャンネルタイトル：洋画、ＰＴｙ：４が追加される。
【０００７】
（Ｂ）本発明の実施例
（ａ）本発明のデジタル放送受信機の構成
図２は本発明のデジタル放送受信機の構成図である。図中１１はアンテナ、１２はアンテナ１１を介して所望のデジタル放送を受信し、該放送に含まれる高能率符号データ（ＭＰＥＧデータ等）を復元して出力するデジタル放送受信部、１３はデジタル放送受信機により復調されたアナログ音声信号を増幅して出力するアンプ、１４は音声を出力するスピーカ、１５は受信機の制御、及び後述するメモリへ受信周波数、チャンネルタイトル等の情報を記憶させるための制御をするプロセッサ（ＣＰＵ）、１６は受信局の周波数等を表示する表示部、１７は選局やボリューム調整を行う為の操作部である。
【０００８】
デジタル放送受信部１２は図示するように、ＲＦ部１２ａ、Ａ／Ｄ変換器１２ｂ、復調部１２ｃ、エラー訂正部１２ｄ、ＭＰＥＧ部１２ｅ、Ｄ／Ａ変換器１２ｆ等を備えている。ＲＦ部１２ａはデジタル放送信号を受信してベースバンド信号を出力し、Ａ／Ｄ変換器１２ｂはベースバンドのアナログ信号をデジタルデータに変換する。復調部１２ｃはデジタルデータに復調処理を施してＭＰＥＧデータ等を出力する。エラー訂正部１２ｄは復調ＭＰＥＧデータにエラー訂正処理を施し、ＭＰＥＧ部１２ｅはエラー訂正部１２ｄから入力するＭＰＥＧデータ等を元のデジタル音声データに変換する。Ｄ／Ａ変換器１２ｆはデジタルの音声データをアナログの音声信号に変換する。
【０００９】
ＣＰＵ１５は図示するように、メモリ１５ａ、サーチ部１５ｂ、受信周波数・チャンネルタイトル情報判断部１５ｃ等を備えている。メモリ１５ａは受信局の受信周波数と該受信周波数に対応させてチャンネルタイトル情報を記憶する。サーチ部１５ｂは所定時間毎に受信周波数帯域をサーチする。受信周波数・チャンネルタイトル情報判断部１５ｃはサーチ部１５ｂにより受信した受信局の周波数及びチャンネルタイトル情報がメモリ１５ａに記憶されている受信周波数及びチャンネルタイトル情報と一致するか否かを判断する。
そして、ＣＰＵ１５は受信周波数・チャンネルタイトル情報判断部１５ｃにより受信周波数が一致し、対応するチャンネルタイトル情報が異なる場合は、前のチャンネルタイトル情報を新たなチャンネルタイトル情報に更新し、前記メモリに一致する受信周波数が存在しない場合は、前記受信局の受信周波数とチャンネルタイトル情報とを対応させて前記メモリ１５ａに記憶する制御を行う。
【００１０】
（ｂ）フレーム構造
図３はデジタル放送受信機において採用されるモード２のフレーム構造の説明図である。１フレームは２シンボルの同期信号ＳＹＮＣと、３シンボルの高速情報チャンネルＦＩＣと７２シンボルのデータフィールドＤＦＬで構成されており、同期信号ＳＹＮＣは、フレームの開始点を認識するのに使用するヌルシンボルと位相基準シンボルＰＲＳを含んでいる。
【００１１】
高速情報チャンネルＦＩＣは、３個の高速情報ブロックＦＩＢから構成されている。又、データフィールドＤＦＬは７２個のデータフィールドに区分され、それぞれのデータフィールドに所定のサービス、アナウンスメントの放送信号が挿入されており、１つの放送波から同時に複数のサービスを受信できるようになっている。どのデータフィールドにどのサービスが対応するかは高速情報チャンネルＦＩＣに含まれるサービスの配列データで指定され、ここにはチャンネルタイトルも含まれる。
【００１２】
高速情報ブロックＦＩＢは、複数の高速情報グループＦＩＧから構成されている。各高速情報グループＦＩＧは、ＦＩＧヘッダとＦＩＧデータフィールドから構成されている。ＦＩＧヘッダは、ＦＩＧデータフィールドに含まれるデータのタイプを示すＦＩＧタイプとＦＩＧデータフィールドのバイト長を示すＬｅｎｇｔｈとからなっている。又、ＦＩＧデータフィールドの先頭の１バイトは、ＦＩＧタイプ毎に異なる内容を有しており、その一部にエクステンションが含まれている。
【００１３】
例えば、タイプ０フィールドの場合には、ＦＩＧデータフィールドの先頭１バイトには、上位から順に、Ｃ／Ｎ（Ｃｕｒｒｅｎｔ／Ｎｅｘｔ）フラグ、ＯＥ（Ｏｔｈｅｒ  Ｅｎｓｅｍｂｌｅ）フラグ、Ｐ／Ｄフラグ、エクステンションが含まれている。ＦＩＧタイプとエクステンションにより、ＦＩＧデータフィールドに含まれる詳細なデータの内容が規定される。以下では、例えばＦＩＧタイプ０フィールドのエクステンション３に対応したデータフィールドをＦＩＧ（０／３）と表す。
【００１４】
又、ＦＩＧタイプ１フィールドのエクステンション１に対応したデータフィールドＦＩＧ（１／１）には番組のサービスＩＤを示すＳＩｄ、チャンネルタイトルの名称が入るＣｈａｒａｃｔｅｒ  ｆｉｅｌｄ等のデータが含まれている。
【００１５】
ＦＩＧデータフィールドの先頭１バイトを除く領域には、ＦＩＧタイプとエクステンションによって特定される各種のデータが含まれており、このデータを読み出すことにより、各種の受信制御を行うことができる。例えば、ＦＩＧ（０／１７）には各サービスに対応したプログラムタイプＰＴｙが含まれている。
【００１６】
（ｃ）本発明のデジタル放送受信機に係るチャンネルタイトル情報更新制御のフローチャート
図４は本発明のデジタル放送受信機に係るチャンネルタイトル情報更新制御のフローチャートである。
まず、デジタル放送受信機のサーチ部１５ｂが受信周波数帯域をサーチし（ステップ１０１）、受信した周波数と該周波数に対応するチャンネルタイトル情報をメモリ１５ａに記憶する（ステップ１０２）。ついで、一定時間、例えば２４時間毎に受信周波数帯域をサーチ部１５ｂによりサーチし（ステップ１０３）、受信した周波数がメモリ１５ａに記憶されているかどうかを受信周波数・チャンネルタイトル情報判断部１５ｃが判断する（ステップ１０４）。しかる後、判断した結果より、メモリ１５ａに受信周波数が存在しない場合は受信周波数と該受信周波数に対応するチャンネルタイトル情報をメモリ１５ａに記憶する（ステップ１０５）。一方、受信周波数が存在したときは、該受信周波数に対応したチャンネルタイトル情報と照合する（ステップ１０６）。ついで、チャンネルタイトル情報が一致したか否かを判定し（ステップ１０７）、一致した場合は処理を終了する。一方チャンネルタイトル情報が一致しないときは、メモリ１５ａに記憶されている該受信周波数に対応したチャンネルタイトル情報をＣＰＵ１５の制御により更新する（ステップ１０８）。ついでチャンネルタイトル情報をメモリ１５ａに記憶する（ステップ１０９）。
尚、本発明の実施例では受信周波数とチャンネルタイトル情報を用いているが、チャンネルを識別するためのコードとチャンネルタイトルの組み合わせでも可能である。
【００１７】
【発明の効果】
以上、本発明によれば、受信局の受信周波数と該受信周波数に対応させて少なくともチャンネルタイトル情報を記憶可能なメモリと、所定時間毎に受信周波数帯域をサーチするサーチ手段と、該サーチ手段により受信した受信局の周波数及び少なくともチャンネルタイトル情報が前記メモリに記憶されている受信周波数及び少なくともチャンネルタイトル情報と一致するか否かを判断する判断手段と、該判断手段により受信周波数が一致し、対応するチャンネルタイトル情報が異なる場合は、前のチャンネルタイトル情報を新たなチャンネルタイトル情報に更新し、前記メモリに一致する受信周波数が存在しない場合は、前記受信局の受信周波数とチャンネルタイトル情報とを対応させて前記メモリに記憶する制御手段とを備えたので、更新されたチャンネルタイトル情報や新規の放送を容易に選局できる。及び内容を容易に通知することができる。
【図面の簡単な説明】
【図１】本発明の概略説明図である。
【図２】本発明のデジタル放送受信機の構成図である。
【図３】フレーム構造の説明図である。
【図４】本発明のチャンネルタイトル情報更新方法のフローチャートである。
【符号の説明】
ＰＴｙ・・プログラムタイプ
【図１】
0003738818.tif 000002
【図２】
0003738818.tif 000003
【図３】
0003738818.tif 000004
【図４】
0003738818.tif 000005